(57)【要約】【課題】  燃料電池の発電領域で生成した水の排水、および／または、逆流を防止した燃料電池セパレータの提供。【解決手段】  （１）セル面内に、ガス流路２７、２８、ガスマニホールド３０、３１、連通路３４を有する燃料電池セパレータ１８であって、ガスマニホールド３０、３１のうち少なくとも出側ガスマニホールド３０Ｂ、３１Ｂの下端部（セル面を生成水の重力方向と平行にした姿勢でマニホールド下部に対応する部分）を、該出側ガスマニホールドに接続する連通路の下面３４ａ（セル面を生成水の重力方向と平行にした姿勢で連通路の下面に対応する面）より下方に延ばして延長部３５を形成した燃料電池セパレータ１８。（２）連通路３４の周縁部のうちセル面を生成水の重力方向と平行にした姿勢で連通路の下面３４ａに対応する面を、ガス流路２７、２８から出側ガスマニホールド３０Ｂ、３１Ｂに向かって低くなるように形成した燃料電池セパレータ１８。【選択図】      図１
2006228507.tif 000002
【特許請求の範囲】
【請求項１】
ガスマニホールドと、
前記ガスマニホールドに通じるガス流路と、
前記ガスマニホールド内に配置される第１の部分と該第１の部分に一体とされ前記ガス流路内に突入させて配置される第２の部分とを有するガス透過性の吸水材と、
を備えた燃料電池。
【請求項２】
前記吸水材の第１の部分は、前記ガスマニホールドの横断面全域に配置されており、前記吸水材の第２の部分は、前記ガス流路の横断面全域に配置されている請求項１記載の燃料電池。
【請求項３】
前記吸水材の第１の部分は、前記ガスマニホールドにおいてガスマニホールド軸方向に、燃料電池の酸化ガス側セパレータに対応する部分のみに配置され、燃料ガス側セパレータに対応する部分は空間のままとされる請求項１記載の燃料電池。
【請求項４】
前記吸水材は電気絶縁材である請求項１記載の燃料電池。
【請求項５】
前記ガスマニホールドが酸化ガスマニホールドの出口側マニホールドであり、前記ガス流路が酸化ガス流路の出口側部分である請求項１記載の燃料電池。
【発明の詳細な説明】
【技術分野】
【０００１】
本発明は、燃料電池に関し、とくにセルからの排水性を高めた燃料電池に関する。
【背景技術】
【０００２】
燃料電池、たとえば固体高分子電解質型燃料電池は、膜−電極アッセンブリ（Membrane-Electrode Assembly 、ＭＥＡ）をセパレータで挟んだものから構成される。少なくとも１つの単位燃料電池からモジュールを構成し、モジュールを複数積層して（積層方向は任意）燃料電池スタックが構成される。
モジュールの一側のセパレータの中央部には燃料ガス流路が形成され、他側のセパレータの中央部には酸化ガス流路が形成される。セパレータの外周部には、入口側および出口側の燃料および酸化ガスマニホールドが形成される。入口側の燃料ガスマニホールドから供給された燃料ガス（水素）は燃料ガス流路に流入して一部が発電に消費され、残りは燃料ガス流路から出口側の燃料ガスマニホールドに流出する。同様に、入口側の酸化ガスマニホールドから供給された酸化ガス（酸素、通常、空気）は酸化ガス流路に流入して一部が発電に消費され、残りは酸化ガス流路から出口側の酸化ガスマニホールドに流出する。セルの中央部は発電領域であり、発電の際に、カソード側に水が生成し、水分の一部は電解質膜を湿潤させ、アノード側に移動する。カソード側で生成した水は、ガス流に乗ってあるいは重力により酸化ガスマニホールドに排出されるが、排出が不十分であると、セル内でフラッディングを生じ、酸化ガスのカソードへの供給が阻害されて発電出力、電位が低下する。
特開平２−１６８５６５号公報は、燃料電池のガス流路に吸水層を設け、ガスマニホールド内に水捕集部材を設けて、排水性を向上させることを開示している。吸水層はガスが流れる流路空間が残るようにガス流路の表面のみに設けられており、水捕集部材はガスが流れる流路空間が残るようにガスマニホールドの表面のみに設けられている。吸水層と水捕集部材とは別部材であるが吸水した水が移動できるように接続されている。
【特許文献１】特開平２−１６８５６５号公報
【発明の開示】
【発明が解決しようとする課題】
【０００３】
しかし、特開平２−１６８５６５号公報の排水構造には、つぎの問題がある。
（ｉ）ガス流路に設けられる部分（吸水層）とガスマニホールド内に設けられる部分（水捕集部材）との接合が、製造の精度を必要とし、困難である。吸水層と水捕集部材との間に隙間があると、吸水された水が吸水層から水捕集部材に移動していかず、水分の吸い出しが不十分となり、ガス流路にフラッディングが生じる。
（ii）ガス流路に設けられる部分（吸水層）とガスマニホールド内に設けられる部分（水捕集部材）のセパレータ壁面への取付け、保持が大変である。接合材が劣化すると、ガス流路に設けられる部分（吸水層）とガスマニホールド内に設けられる部分（水捕集部材）がセパレータから離脱し、マニホールドに落下するおそれがある。
(iii）ガス流路の断面が吸水層と空間とからなり、ガスマニホールドの断面が水捕集部材と空間とからなるので、ガスが抵抗の小さい空間の方を流れ、吸水層、水捕集部材による水の吸収、排水の効率が低い。
【０００４】
本発明の目的は、ガス流路に設けられる部分とガスマニホールド内に設けられる部分との接合を必要としない燃料電池を提供することにある。
【課題を解決するための手段】
【０００５】
上記目的を達成する本発明はつぎの通りである。
（１）  ガスマニホールドと、
前記ガスマニホールドに通じるガス流路と、
前記ガスマニホールド内に配置される第１の部分と該第１の部分に一体とされ前記ガス流路内に突入させて配置される第２の部分とを有するガス透過性の吸水材と、
を備えた燃料電池。
（２）  前記吸水材の第１の部分は、前記ガスマニホールドの横断面全域に配置されており、前記吸水材の第２の部分は、前記ガス流路の横断面全域に配置されている（１）記載の燃料電池。
（３）  前記吸水材の第１の部分は、前記ガスマニホールドにおいてガスマニホールド軸方向に、燃料電池の酸化ガス側セパレータに対応する部分のみに配置され、燃料ガス側セパレータに対応する部分は空間のままとされる（１）記載の燃料電池。
（４）  前記吸水材は電気絶縁材である（１）記載の燃料電池。
（５）  前記ガスマニホールドが酸化ガスマニホールドの出口側マニホールドであり、前記ガス流路が酸化ガス流路の出口側部分である（１）記載の燃料電池。
【発明の効果】
【０００６】
上記（１）の燃料電池によれば、吸水材がガスマニホールド内に配置される第１の部分とガス流路内に突入させて配置される第２の部分とを有し、第２の部分は第１の部分に一体とされているので、ガス流路に設けられる部分とガスマニホールド内に設けられる部分との接合を必要としない。
上記（２）の燃料電池によれば、吸水材の第１の部分がガスマニホールドの横断面全域に配置されており、吸水材の第２の部分がガス流路の横断面全域に配置されているので、第２の部分をセパレータのガス流路に押し込んで吸水材をガスマニホールドにセットし、セルを積層すると、自動的にセパレータに保持され、セパレータからの離脱、マニホールドへの落下のおそれは無い。
また、第１の部分がガスマニホールドの横断面全域に配置されており、第２の部分がガス流路の横断面全域に配置されているので、ガスの全量が（吸水材をバイパスすることなく）吸水材を必ず通過し、吸水材による水分の吸収、排水の効率が高い。
上記（３）の燃料電池によれば、吸水材の第１の部分は、ガスマニホールドにおいてガスマニホールド軸方向に、燃料電池の酸化ガス側セパレータに対応する部分のみに配置され、燃料ガス側セパレータに対応する部分は空間のままとされるので、セルでの酸化ガス側セパレータと燃料ガス側セパレータとの電気的短絡を容易に防止することができる。
上記（４）の燃料電池によれば、吸水材が電気絶縁材であるので、セルでの酸化ガス側セパレータと燃料ガス側セパレータとの電気的短絡を確実に防止することができる。
上記（５）の燃料電池では、本発明が酸化ガス流路側に適用されている。ただし、燃料ガスに改質ガスを用いる場合は本発明は燃料ガス流路側に適用されてもよい。
【発明を実施するための最良の形態】
【０００７】
以下に、本発明の燃料電池を、図１〜図６を参照して説明する。
本発明の燃料電池（セルともいう）１０は、低温型燃料電池であり、たとえば、固体高分子電解質型燃料電池１０である。該燃料電池１０は、たとえば燃料電池自動車に搭載される。ただし、自動車以外に用いられてもよい。
固体高分子電解質型燃料電池１０は、膜−電極アッセンブリ（ＭＥＡ：Membrane-Electrode Assembly ）とセパレータ１８との積層体からなる。
膜−電極アッセンブリは、イオン交換膜からなる電解質膜１１とこの電解質膜の一面に配置された触媒層からなる電極（アノード、燃料極）１４および電解質膜の他面に配置された触媒層からなる電極（カソード、空気極）１７とからなる。膜−電極アッセンブリとセパレータ１８との間には、アノード側、カソード側にそれぞれ拡散層１３、１６が設けられる。
【０００８】
セパレータ１８には、中央部に、アノード１４、カソード１７に燃料ガス（水素）および酸化ガス（酸素、通常は空気）を供給するための反応ガス流路２７、２８（燃料ガス流路２７、酸化ガス流路２８）と、その裏面に冷媒（通常、冷却水）を流すための冷媒流路２６が形成されている。
また、セパレータ１８には、外周部に、燃料ガス流路２７に燃料ガスを供給、排出するための燃料ガスマニホールド３０、酸化ガス流路２８に酸化ガスを供給、排出するための酸化ガスマニホールド３１、冷媒流路２６に冷媒を供給、排出するための冷媒マニホールド２９が形成されている。燃料ガスマニホールド３０、酸化ガスマニホールド３１を総称してガスマニホールドと呼ぶ。各マニホールド２９、３０、３１は、入口側マニホールド２９Ａ、３０Ａ、３１Ａと出口側マニホールド２９Ｂ、３０Ｂ、３１Ｂを含む。ターミナル２０、インシュレータ２１、エンドプレート２２にもマニホールド２９、３０、３１は形成される。
また、セパレータ１８には、中央部（発電領域）の反応ガス流路２７、２８と、外周部（非発電領域）のガスマニホールド３０、３１とを、それぞれ、接続する、ガス流路３４が形成されている。ガス流路３４はガスマニホールド３０、３１に連通、開口している。ガス流路３４は、中央部（発電領域）の反応ガス流路２７、２８を反応ガス流路２７、２８の入口部および出口部でガスマニホールド３０、３１まで延ばして形成されたものであってもよいし、中央部（発電領域）の反応ガス流路２７、２８を反応ガス流路２７、２８の入口部および出口部でいったんガス分配通路で集合させ、このガス分配通路とガスマニホールド３０、３１とを連通するガス流路から形成してもよい。
【０００９】
膜−電極アッセンブリとセパレータ１８を重ねて単位燃料電池（「単セル」ともいう）１０を構成し、少なくとも１つのセルからモジュール１９（図３、図５では１モジュールが１セルから構成される場合を示しており、セル１０とモジュール１９が等しい）を構成し、モジュール１９を１つ以上積層してセル積層体（モジュール積層体といってもよい）とし、セル積層体のセル積層方向両端に、ターミナル２０、インシュレータ２１、エンドプレート２２を配置し、両端エンドプレート２２をセル積層方向に延びる締結部材２４（たとえば、テンションプレートまたは通しボルト）にボルト・ナット２５により固定し、セル積層体をセル積層方向の締付け荷重をかけ、燃料電池スタック２３を構成する。
本発明では、燃料電池スタック２３は、生成水が重力で下方に流下するか、および／またはガス流で下流に流されるように、そのセル面を上下方向に向けた姿勢で、設置される。また、望ましくは、出口側ガスマニホールド３０Ｂ、３１Ｂとくに出口側酸化ガスマニホールド３１Ｂがセパレータの下部か側部にくるように設置される。
【００１０】
各セル１９の、アノード側１４では、水素を水素イオン（プロトン）と電子に電離する電離反応が行われ、水素イオンは電解質膜１１中をカソード側に移動し、カソード１７側では酸素と水素イオンおよび電子（隣りのＭＥＡのアノードで生成した電子がセパレータを通してくる、またはセル積層方向一端のセルのアノードで生成した電子が外部回路を通して他端のセルのカソードにくる）から水を生成する反応が行われ、かくして発電が行われる。
アノード側：Ｈ2 →２Ｈ+ ＋２ｅ- 
カソード側：２Ｈ+ ＋２ｅ- ＋（１／２）Ｏ2 →Ｈ2 Ｏ
【００１１】
流体流路２６、２７、２８、２９、３０、３１、３４をシールするために、ガス側のシール材３３および冷媒側のシール３２が設けられる。図示例では、ガス側シール材３３が接着剤からなり、冷媒側シール材３２がゴムガスケットからなる場合を示している。ただし、ガス側シール材３３も冷媒側シール材３２も、接着剤とゴムガスケットの何れから構成されてもよい。
【００１２】
入口側燃料ガスマニホールド３０Ａからの燃料ガスは燃料ガス用ガス流路３４を介して燃料ガス流路２７に供給され、燃料ガス流路２７を通過中に燃料ガスは発電反応により一部が消費され、残りはガス流路３４を介して出口側燃料ガスマニホールド３０Ｂに流出し、一部は、外部流路を通って、入口側燃料ガスマニホールド３０Ａへと再循環され、残りは、時々大気排出される。
また、入口側酸化ガスマニホールド３１Ａからの酸化ガスは酸化ガス用ガス流路３４を介して酸化ガス流路２８に供給され、酸化ガス流路２８を通過中に酸化ガスは発電反応により一部が消費され、残りはガス流路３４を介して出口側酸化ガスマニホールド３１Ｂに流出し、気液分離器で水分が分離された後、大気に排出される。
【００１３】
上記発電反応が円滑に行われるには、電解質膜１１が適正に湿潤状態にあることが必要である。そのために、酸化ガスは、通常、加湿器に通されて、加湿された後、入口側の酸化ガスマニホールドに供給される。
燃料ガス、酸化ガスがセルの発電領域にある燃料ガス流路２７、酸化ガス流路２８を流れている時、上記反応式にしたがって発電反応が行われ、反応でカソード側に生成した水は、下流にいくにしたがって多くなり、酸化ガスの流れにのって出口側酸化ガスマニホールド３１Ｂに排出される。反応生成水の排出が円滑に行われないと、とくに酸化ガス流路２８の下流側で湿潤過多（フラッディング）が生じ、酸化ガスのカソードへの接触を妨げて、発電を阻害し、燃料電池の出力、電位の低下を生じることになる。したがって、反応生成水は円滑に排水される必要があり、いったん出口側酸化ガスマニホールド３１Ｂに排出された水は出口側酸化ガスマニホールド３１Ｂから酸化ガス流路２８に逆流しないことが望まれる。
生成水の一部は、電解質膜１１を湿潤すると共に、電解質膜１１から燃料ガス流路２７側に移動するので、燃料ガス流路２７側にも、円滑な排水が望まれることがある。燃料ガスに改質ガスが用いられる場合は、燃料ガス流路２７側も、円滑な排水が望まれる。
【００１４】
本発明は、円滑な排水性を得るために、水の積極的な吸い出しと吸い出した水の保持を狙った燃料電池である。
図１〜図３に示すように、本発明の燃料電池１０は、ガスマニホールド（酸化ガスマニホールド３１および／または燃料ガスマニホールド３０）と、ガスマニホールド（酸化ガスマニホールド３１および／または燃料ガスマニホールド３０）に通じるガス流路（酸化ス用ガス流路３４および／または燃料ガス用ガス流路３４）と、ガスマニホールド（酸化ガスマニホールド３１および／または燃料ガスマニホールド３０）内に配置される第１の部分５１と第１の部分５１に一体とされガス流路３４内に突入させて配置される第２の部分５２とを有するガス透過性の吸水材５０と、を備えている。図１〜図３は、ガス流路３４が複数のリブ（山）間に形成された複数の溝からなる場合を示しているが、ガス流路３４の形状はこれに限定されるものではない。たとえば、ガス流路３４が流路内に島状突起が形成されたものでもよく、その場合は第２の部分５２は隣接する島状突起の間に食い込めばよい。
第２の部分５２は第１の部分５１から突出している。吸水材５０は、吸水性および保水性がありかつ通気性がある材料からなり、たとえば、吸水性および保水性がある糸を編んだ織物で糸間の隙間をガスが通過するもの、あるいは多孔質の焼結合金などを用いることができる。
【００１５】
吸水材５０の第１の部分５１は、ガスマニホールド（酸化ガスマニホールド３１および／または燃料ガスマニホールド３０）の横断面（スタックとした時にセル積層方向となる方向に直交する横断面）全域に配置されており、吸水材５０の第２の部分５２は、ガス流路３４の横断面（ガス流路３４のマニホールド直近部の軸芯が延びる方向と直交する横断面）全域に配置されている。吸水材５０を通路の横断面全域に配置する理由は、もしも吸水材を通路の横断面の一部に配置すると、通路断面のうち流れ抵抗が小さい吸水材非配置部分をガスが選択的に流れてしまい、吸水材５０中を流れるガス流量が減少して吸水効率が低下し、かつ吸水材５０が吸水した水分のガス流れによる持ち去りあるいは蒸発効果も低減するので、それを抑制するためである。ただし、通路に隙間なく吸水材を充填することは製造上困難であるから、通路横断面の全域に配置されていればよい（通路内面と吸水材外面との間に若干の隙間はあってもよい）。吸水材５０を通路横断面の全域に配置した場合の、通路のガス流れ抵抗増大が、実質上問題にならない程度（ポンプ吐出圧増にして、たとえば、１３０％以下程度）に抑えられるように、吸水材５０に通気性がよいもの（通気抵抗の小さいもの）を用いる。
【００１６】
吸水材５０が、たとえば、酸化ガス流路のみに設けられる場合、図３に示すように、ガスマニホールド（酸化ガスマニホールド３１）内に配置される吸水材の第１の部分５１は、ガスマニホールド（酸化ガスマニホールド３１）においてガスマニホールド軸方向（セルをスタックにした場合のセル積層方向）に、燃料電池１０の酸化ガス側セパレータ１８Ｂに対応する部分のみに配置され、燃料ガス側セパレータ１８Ａに対応する部分は空間のままとされる。その場合は、酸化ガスマニホールド３１はガスマニホールド軸方向に、吸水材、空間が交互に位置することになる。
吸水材５０は、第２の部分５２をガス流路３４に押し込み、第１の部分５１をガスマニホールドをセットすることにより、セパレータ１８に装着され、セパレータ厚さ方向にガス流路３４と反対側からバックアッププレート３５により押さえられる。バックアッププレート３５はセパレータ１８に接着されるので、吸水材５０はセル厚み方向にセパレータ１８から外れなくなる。
吸水材５０は、望ましくは、電気絶縁材からなる。これは、吸水材５０を介して、燃料電池１０のアノード１４とカソード１７が短絡することを防止するためである。
【００１７】
燃料電池１０において、生成水はカソード１７側で生成されるため、水分は下流にいくにしたがって積算されるため、フラッディングは酸化ガス流路２８の下流側から出口側酸化ガスマニホールド３１Ｂにかけて生じやすい。その部位のフラッディングを抑制するために、吸水材５０は、酸化ガス流路２８の下流側端部から出口側酸化ガスマニホールド３１Ｂに設けられることが望ましい。その場合は、ガスマニホールドは酸化ガスマニホールドの出口側マニホールド３１Ｂであり、ガス流路３４が酸化ガス流路２８の出口側部分である。
ただし、吸水材５０は、燃料ガス流路２７の下流側端部から出口側燃料ガスマニホールド３０Ｂに設けられてもよいし、あるいは、酸化ガス流路２８の下流側端部から出口側酸化ガスマニホールド３１Ｂに設けられるとともに燃料ガス流路２７の下流側端部から出口側燃料ガスマニホールド３０Ｂに設けられてもよい。
【００１８】
つぎに、本発明の作用・効果を説明する。
吸水材５０がガスマニホールド３０、３１内に配置される第１の部分５１とガス流路３４内に突入させて配置される第２の部分５２とを有し、第２の部分５２は第１の部分５１に一体とされているので、第２の部分５２と第１の部分５１との接合が必要でない。したがって、第２の部分５２と第１の部分５１とを別々に高精度で作製し、隙間なく接合し、かつ、セパレータに剥がれないように固定することが必要でなくなる。これは、製造、組み付けを大幅に単純化し、セルの構造上の信頼性を向上させる。
【００１９】
吸水材５０の第１の部分５１がガスマニホールド３０、３１の横断面全域に配置されており、吸水材５０の第２の部分５２がガス流路３４の横断面全域に配置されているので、第２の部分５２をセパレータ１８のガス流路３４に押し込んで吸水材５０のガスマニホールド３０、３１にセットしてバックアッププレート３５で押さえ、セル１０を積層すると、自動的にセパレータ１８に保持され、セパレータ１８からの離脱、マニホールド３０、３１への落下のおそれは無い。
【００２０】
また、吸水材５０の第１の部分５１がガスマニホールド３０、３１の横断面全域に配置されており、吸水材５０の第２の部分５２がガス流路３４の横断面全域に配置されているので、ガスのほぼ全量が、吸水材５０をバイパスすることなく、吸水材５０を通過し、吸水材５０による水分の吸収、吸い出し、吸水材中の移動、排水の各作用の効率が高い。
【００２１】
吸水材５０の第１の部分５１は、ガスマニホールド３０、３１においてガスマニホールド軸方向に、燃料電池の酸化ガス側セパレータ１８Ｂに対応する部分のみに配置され、燃料ガス側セパレータ１８Ａに対応する部分は空間のままとされる場合は、セル１０での酸化ガス側セパレータ１８Ｂと燃料ガス側セパレータ１８Ａとの、第１の部分５１を介しての電気的短絡を容易に防止することができる。たとえば、ガスマニホールドの酸化ガス側セパレータ１８Ｂに対応する部分と燃料ガス側セパレータ１８Ａに対応する部分との両方に第１の部分が充填され、第１の部分の酸化ガス側セパレータ１８Ｂに対応する部分と燃料ガス側セパレータ１８Ａに対応する部分とがつながっていると、第１の部分５１が導電材料からなる場合、燃料ガス側セパレータ１８Ａと酸化ガス側セパレータ１８Ｂとの間に、短絡が生じるが、酸化ガス側セパレータ１８Ｂに対応する部分のみに配置されることにより短絡が容易に防止される。
ガスマニホールド３０、３１において吸水材配置部と空間部が交互にあることとなるため、ガスマニホールド３０、３１内での特定部位でのガスの吹き抜けは生じず、ガスマニホールド３０、３１内でのガス流量はガスマニホールド３０、３１の横断面内で均一化する。
【００２２】
吸水材５０が電気絶縁材からなる場合は、セル１０での酸化ガス側セパレータ１８Ｂと燃料ガス側セパレータ１８Ａとの電気的短絡は確実に防止される。吸水材５０の第１の部分５１が、ガスマニホールド３０、３１においてガスマニホールド軸方向に燃料電池の酸化ガス側セパレータ１８Ｂに対応する部分と燃料ガス側セパレータ１８Ａに対応する部分との両方に配置される場合は、燃料ガス側セパレータ１８Ａと酸化ガス側セパレータ１８Ｂとの間の短絡を防止するために、吸水材５０が電気絶縁材から構成されることが望ましい。
【００２３】
本発明は酸化ガス流路側に適用されているが、燃料ガスに改質ガスを用いる場合は本発明は燃料ガス流路側にも（酸化ガス流路側と燃料ガス流路側との両方に）適用されることが望ましい。                                
ガスマニホールド３０、３１のうち、出口側ガスマニホールド３０Ｂ、３１Ｂとその直近のガス流路３４に吸水材５０が配置される場合は、出口側ガスマニホールド３０Ｂ、３１Ｂは、セパレータ面を上下方向に向けて配置されたセパレータの下辺か側辺に沿ったセパレータ部位に設けることにより、水分の自重および／またはガス流れを利用して生成水を出口側ガスマニホールド３０Ｂ、３１Ｂの直近のガス流路３４に導くことができ、そこからは吸水材５０の水分吸い出し作用と水分の自重および／またはガス流れの総合で、水分を効率的に排水することができる。  
【図面の簡単な説明】
【００２４】
【図１】本発明の燃料電池の、吸水材配置部位とその近傍の、斜視図である。
【図２】本発明の燃料電池のセパレータと吸水材の組合せを示す正面図であり、（イ）がセパレータ、（ロ）が吸水材、（ハ）がセパレータと吸水材の組合せを示す。
【図３】セルを積層した場合の、吸水材配置部位とその近傍の、断面図である。
【図４】本発明の燃料電池のスタックの側面図である。
【図５】図４の燃料電池の一部の拡大断面図である。
【図６】本発明の燃料電池の正面図である。
【符号の説明】
【００２５】
１０  （固体高分子電解質型）燃料電池
１１  電解質膜
１３  拡散層
１４  電極（アノード、燃料極）
１６  拡散層
１７  電極（カソード、空気極）
１８  燃料電池セパレータ
１８Ａ  燃料ガス側セパレータ
１８Ｂ  酸化ガス側セパレータ
１９  モジュール
２０  ターミナル
２１  インシュレータ
２２  エンドプレート
２３  スタック
２４  外側部材または締結部材（テンションプレート）
２５  ボルト・ナット
２６  冷媒流路
２７  燃料ガス流路
２８  酸化ガス流路
２９  冷媒マニホールド
３０  燃料ガスマニホールド
３０Ａ  入口側ガスマニホールド
３０Ｂ  出口側ガスマニホールド
３１  酸化ガスマニホールド
３１Ａ  入口側ガスマニホールド
３１Ｂ  出口側ガスマニホールド
３２  冷媒側シール材（たとえば、ゴムガスケット）
３３  ガス側シール材（たとえば、接着剤）
３４  ガス流路
３５  バックアッププレート
５０  吸水材
５１  第１の部分
５２  第２の部分
【図１】
2006228507.tif 000003
【図２】
2006228507.tif 000004
【図３】
2006228507.tif 000005
【図４】
2006228507.tif 000006
【図５】
2006228507.tif 000007
【図６】
2006228507.tif 000008